(57)【要約】【課題】電池ホルダおよびその電池カバーを有するコンデンサマイクロホンにおいて、一つの部品にて電池カバーを接地する部材と電池カバーの抜け止め部材とを兼用する。【解決手段】金属製の円筒体からなるマイク筐体２と、金属製のコネクタスリーブ４１内に所定本数の端子ピン４３を備える出力コネクタ４と、マイク筐体２と出力コネクタ４との間に連結された電池ホルダ３と、摺動して電池ホルダ３を開閉する金属製の円筒体からなる電池カバー５とを含むコンデンサマイクロホン１において、コネクタスリーブ４１の外周面に第１環状溝４１ａを形成し、第１環状溝４１ａ内に、電池ホルダ３側寄りの一端が電池カバー５の内周面に弾性的に接触し、反対側の他端が第１環状溝４１ａの溝底とほぼ同径である円錐筒体からなる導通部材６を配置するとともに、電池カバー５の内周面に導通部材６の一端が拡径して係合する第２環状溝５２を形成する。【選択図】図２
2011023857.tif 000002
【特許請求の範囲】
【請求項１】
マイクロホンユニットを有する金属製の円筒体からなるマイク筐体と、金属製のコネクタスリーブ内に所定本数の端子ピンを備える出力コネクタと、上記マイク筐体と上記出力コネクタとの間に連結された電池ホルダと、摺動して上記電池ホルダを開閉する金属製の円筒体からなる電池カバーとを含み、上記電池カバーは、上記電池ホルダを閉じた状態においては上記コネクタスリーブの少なくとも一部分を覆う長さを有し、上記電池ホルダを開ける際には上記出力コネクタ側に摺動されるコンデンサマイクロホンにおいて、
上記コネクタスリーブの上記電池カバーにて覆われる部分の外周面に第１環状溝が形成され、上記第１環状溝内に、上記電池ホルダ側寄りの一端が無負荷状態で上記電池カバーの内径よりも大径で上記電池カバーの内周面に弾性的に接触し、反対側の他端が上記第１環状溝の溝底とほぼ同径である円錐筒体からなる導通部材が配置されているとともに、上記電池カバーの内周面には上記電池ホルダを開けた際に上記導通部材の一端が拡径して係合する第２環状溝が形成されていることを特徴とするコンデンサマイクロホン。
【請求項２】
上記円錐筒体の少なくとも一端側には複数のすり割り溝が所定の間隔で形成されていることを特徴とする請求項１に記載のコンデンサマイクロホン。
【請求項３】
上記円錐筒体が板バネ材からなることを特徴とする請求項１または２に記載のコンデンサマイクロホン。
【請求項４】
上記円錐筒体が表面に金属めっきを有する弾性変形可能な合成樹脂板からなることを特徴とする請求項１または２に記載のコンデンサマイクロホン。
【発明の詳細な説明】
【技術分野】
【０００１】
本発明は、コンデンサマイクロホンに関し、さらに詳しく言えば、駆動用の電池を内蔵するコンデンサマイクロホンにおけるシールド構造に関するものである。
【背景技術】
【０００２】
コンデンサマイクロホンは、対向的に配置された振動板と固定極とを含むコンデンサマイクロホンユニット（静電型の音響電気変換器）を備えるが、その出力インピーダンスが極めて高いため、低インピーダンスに変換するインピーダンス変換器を内蔵している。多くの場合、インピーダンス変換器にはＦＥＴ（電界効果トランジスタ）が用いられる。
【０００３】
通常、コンデンサマイクロホンは、平衡シールドケーブルを介してファントム電源と接続されて使用される。そのため、コンデンサマイクロホンは、そのマイク筐体の後端部に出力コネクタを備えている。
【０００４】
出力コネクタには、ＥＩＡＪ  ＲＣ−５２３６「音響機器用ラッチロック式丸形コネクタ」に規定されている出力コネクタが用いられる。この出力コネクタは、３本の端子ピンを備え、１番ピンは接地、２番ピンが信号のホット側、３番ピンは信号のコールド側として使用される。
【０００５】
上記したように、コンデンサマイクロホンの多くは、平衡シールドケーブルを介してファントム電源と接続されて使用されるが、例えば超指向性ガンタイプのコンデンサマイクロホンなど屋外で使用される機会の多いマイクロホンは、駆動電源としての電池を内蔵している。
【０００６】
駆動用電池を内蔵するマイクロホンでは、マイクロホンユニットを有するマイク筐体と出力コネクタとの間に、例えば単三電池等を収納する電池ホルダが設けられ、電池ホルダには円筒状の電池カバーが摺動可能に被せられている（例えば、特許文献１参照）。
【０００７】
電磁波によるノイズ対策として、マイク筐体には出力コネクタの部分を含めて高いシールド性が要求されているが、電池内蔵型のコンデンサマイクロホンには、上記したように電池カバーという可動部が存在し、その接地が困難であることから、外来電磁波（特には携帯電話機から放射される強力な電磁波）による高周波電流が可動部と固定部との接触部分からマイク筐体内に入り込み、ＦＥＴにて検波されて雑音が発生しやすい。
【０００８】
そこで、特許文献１に記載された発明では、出力コネクタに対するマイクロホンコード（平衡シールドケーブル）のプラグの差し込みに伴って板バネが電池カバーに接触して導通をとる方法が提案されている。
【０００９】
しかしながら、この方法では接触部位が点接触であるため、携帯電話機から放射される高周波数で大出力の電磁波に対しては十分な効果が得られないことがある。
【００１０】
また、特許文献２に記載された発明では、電池カバーと出力コネクタのコネクタスリーブとの間に導電布を配置して導通をとることが提案されている。
【００１１】
これによれば、電池カバーと出力コネクタのコネクタスリーブとが導電布を介して面的に接触するため、電磁波による雑音を有効に防止することができるが、なおも解決すべき点が残されている。
【００１２】
すなわち、電池交換時には、電池カバーを出力コネクタ側に摺動して電池ホルダを開けることになるが、その際、電池カバーに抜け止めがないと、電池カバーが不用意に脱落してしまうことがある。脱落した電池カバーが床面等に衝突して変形すると、その電池カバーは使用できなくなる。
【００１３】
そこで、従来では、電池カバーの内周面にコネクタスリーブの端面に当接するストッパリングを設けて、電池カバーの脱落を防止するようにしているが、導電布とは別にストッパリングを設けることは部品点数が多くなり、コスト的に好ましくないし、また、組立作業工数が増え、生産性の面でも好ましくない。
【先行技術文献】
【特許文献】
【００１４】
【特許文献１】特開２００６−３３４６３号公報
【特許文献２】特開２００６−２０３４０７号公報
【発明の概要】
【発明が解決しようとする課題】
【００１５】
したがって、本発明の課題は、電池ホルダおよびその電池カバー（可動部）を有するコンデンサマイクロホンにおいて、一つの部品にて電池カバーを接地する部材と電池カバーの抜け止め部材とを兼用することにある。
【課題を解決するための手段】
【００１６】
上記課題を解決するため、本発明は、マイクロホンユニットを有する金属製の円筒体からなるマイク筐体と、金属製のコネクタスリーブ内に所定本数の端子ピンを備える出力コネクタと、上記マイク筐体と上記出力コネクタとの間に連結された電池ホルダと、摺動して上記電池ホルダを開閉する金属製の円筒体からなる電池カバーとを含み、上記電池カバーは、上記電池ホルダを閉じた状態においては上記コネクタスリーブの少なくとも一部分を覆う長さを有し、上記電池ホルダを開ける際には上記出力コネクタ側に摺動されるコンデンサマイクロホンにおいて、上記コネクタスリーブの上記電池カバーにて覆われる部分の外周面に第１環状溝が形成され、上記第１環状溝内に、上記電池ホルダ側寄りの一端が無負荷状態で上記電池カバーの内径よりも大径で上記電池カバーの内周面に弾性的に接触し、反対側の他端が上記第１環状溝の溝底とほぼ同径である円錐筒体からなる導通部材が配置されているとともに、上記電池カバーの内周面には上記電池ホルダを開けた際に上記導通部材の一端が拡径して係合する第２環状溝が形成されていることを特徴としている。
【００１７】
本発明において、上記円錐筒体の少なくとも一端側には複数のすり割り溝が所定の間隔で形成されていることが好ましい。
【００１８】
また、上記円錐筒体は好ましくは板バネ材からなるが、表面に金属めっきを有する弾性変形可能な合成樹脂板から作成されてもよい。
【発明の効果】
【００１９】
本発明によれば、コネクタスリーブの外周面に形成されている第１環状溝内に、電池ホルダ側寄りの一端が無負荷状態で電池カバーの内径よりも大径で電池カバーの内周面に弾性的に接触し、反対側の他端が第１環状溝の溝底とほぼ同径である円錐筒体からなる導通部材が配置され、電池カバーの内周面に電池ホルダを開けた際に導通部材の一端が拡径して係合する第２環状溝が形成されていることにより、電池カバーが閉じられている状態では、電池カバーと接地のコネクタスリーブとが導通部材を介して多点的に接続されることから、電池ホルダの周りに電磁波に対する確実なシールドが形成される。
【００２０】
また、電池カバーをコネクタスリーブ側に摺動して電池ホルダを開ける際、電池カバーの第２環状溝内に導通部材の一端が拡径して係合し自動的に抜け止めのロックがかかるため、電池カバーが不用意に脱落することもない。
【図面の簡単な説明】
【００２１】
【図１】本発明の実施形態に係るコンデンサマイクロホンの要部を示す断面図。
【図２】上記実施形態において、電池カバーを開けた状態を示す断面図。
【図３】本発明に適用される導電部材を示す（ａ）正面図，（ｂ）その中央断面図。
【発明を実施するための形態】
【００２２】
次に、図１ないし図３を参照して、本発明の実施形態について説明するが、本発明はこれに限定されるものではない。
【００２３】
図１および図２に示すように、このコンデンサマイクロホン１は、マイク筐体２と出力コネクタ４との間に電池ホルダ３が連結されており、電池ホルダ３には、開閉可能な電池カバー５が設けられている。
【００２４】
図１，図２には、マイク筐体２の後端部しか示されていないが、マイク筐体２は、黄銅合金等の金属材により円筒状に形成されており、その内部もしくは先端側には、図示しないコンデンサマイクロホンユニットが装着されている。
【００２５】
電池ホルダ３は合成樹脂製で、例えば単３型乾電池等の棒状電池Ｂが収納される船底形の電池収納部３１を備えている。また、電池ホルダ３の陽極端部３ａ側には板バネからなる陽極接触子３２が設けられており、陰極端部３ｂ側にはコイルバネからなる陰極接触子３３が設けられている。
【００２６】
電池ホルダ３の陽極端部３ａは、連結筒２１を介してマイク筐体２の後端部に連結されている。連結筒２１は、好ましくはマイク筐体２と同材質の金属製で、その先端がマイク筐体２内に差し込まれてネジ止めされる。
【００２７】
電池ホルダ３の陽極端部３ａは、連結筒２１内に差し込まれてネジ止めされる。連結筒２１の後端側の外周面には、雄ネジ２１ａが形成されている。
【００２８】
電池ホルダ３の陰極端部３ｂには、出力コネクタ４が連結されている。出力コネクタ４は、ＥＩＡＪ  ＲＣ−５２３６「音響機器用ラッチロック式丸型コネクタ」に規定されている３ピンタイプの出力コネクタで、金属材からなるコネクタスリーブ４１と、その内部に配置されるコネクタ本体４２とからなる。
【００２９】
コネクタ本体４２は、合成樹脂からなる円盤状の基台４２ａを備え、基台４２ａには、１番ピン〜３番ピンの３本の端子ピン４３が貫設されている。なお、作図の都合上、図１，図２には、３本の端子ピン４３のうちの２本しか示されていない。
【００３０】
コネクタ本体４２は、図示しない固定ネジによりコネクタスリーブ４１内に固定され、接地の１番ピンは、所定の導通手段によりコネクタスリーブ４１に電気的に接続されている。また、信号用の２番ピン，３番ピンは、電池ホルダ３内に配線されている図示しないリード配線を介してマイク筐体２内に引き込まれる。
【００３１】
電池カバー５は、外径がマイク筐体２の外径とほぼ同径の金属製の円筒体からなる。材質は、マイク筐体２と同材質であることが好ましい。
【００３２】
また、電池カバー５は、図１に示すように、閉じられた状態で電池ホルダ３および出力コネクタ４を覆う軸長、すなわち、マイク筐体２の後端から出力コネクタ４の後端に至るまでの長さを有していることが好ましいが、出力コネクタ４の電池ホルダ３側寄りの少なくも一部分を覆う長さを有していればよい。
【００３３】
本発明によると、コネクタスリーブ４１の外周面には、所定深さの第１環状溝４１ａが形成されている。電池カバー５が、出力コネクタ４の電池ホルダ３側寄りの一部分を覆う長さを有している場合、第１環状溝４１ａは、その電池カバー５により覆われる部分に設けられる。
【００３４】
電池カバー５の先端側（図１，図２において左端側）の内周面には、連結筒２１の雄ネジ２１ａに螺合する雌ネジ５１が形成されている。また、電池カバー５の内周面で雌ネジ５１よりも奥まった部分には、所定深さの第２環状溝５２が形成されている。
【００３５】
本発明によると、コネクタスリーブ４１の第１環状溝４１ａ内に導通部材６が配置される。この導通部材６は、電池カバー５とコネクタスリーブ４１とを電気的に接続する機能と、電池カバー５の抜け止め用のストッパとしての機能とを備えている。
【００３６】
図３（ａ），（ｂ）を参照して、導通部材６は、一端６ａが大径で、他端６ｂがそれよりも小径の弾性変形可能な円錐筒体６１からなる。材質は板バネが好ましいが、合成樹脂の板材で構成されていてもよく、その場合には、導電性を得るため表面にクロムメッキ加工などが施される。
【００３７】
円錐筒体６１の一端６ａ側の無負荷状態（自然状態）での外径φ１は、電池カバー５の内径φ２よりも大径である。これに対して、円錐筒体６１の他端６ｂ側の内径は、第１環状溝４１ａの溝底とほぼ同径であってよい。
【００３８】
また、円錐筒体６１には、弾性変形しやすくするためのすり割り溝６２が複数箇所に設けられている。各すり割り溝６２は、軸方向の一端から中央に向かって形成されたスリット溝からなり、この例では、両端部からそれぞれ交互に等間隔で全周にわたって形成されている。
【００３９】
図１，図２に示すように、円錐筒体６１は、大径側の一端６ａを電池ホルダ５側としてコネクタスリーブ４１の第１環状溝４１ａ内に配置される。
【００４０】
実際の組立時には、円錐筒体６１の一部分を切り離して帯板状とし、これを第１環状溝４１ａ内に巻き付けて筒状とする。この意味において、円錐筒体６１は完全な筒体ではなく、一部分に隙間を有するＣ字状の不完全な筒状であってもよい。また、第１環状溝４１ａ内に巻き付けて筒状とする場合、その両端間を接着テープ等で連結してもよい。
【００４１】
しかる後、電池カバー５をコネクタスリーブ４１の後端（図１，図２において右端）から嵌合し、電池カバー５を例えば時計方向に回して雌ネジ５１を連結筒２１の雄ネジ２１ａに螺合して、図１に示すように、電池カバー５により電池ホルダ３を閉じる。
【００４２】
この状態において、円錐筒体６１の一端６ａは電池カバー５により縮径され、その反発力にて電池カバー５の内周面に多点で確実に接触するため、電池カバー５が接地側のコネクタスリーブ４１に電気的に一体に接続され、電池カバー５に良好な電磁波シールド性が付与される。また、電池カバー５のガタツキも抑えられる。
【００４３】
電池Ｂを交換する場合には、電池カバー５を反時計方向に回して雌ネジ５１を雄ネジ２１から外したえで、図２に示すように、電池カバー５を出力コネクタ４側に摺動させて電池ホルダ３を露出させる。
【００４４】
その際、電池カバー５を必要以上に出力コネクタ４側に摺動させると、第２環状溝５２が第１環状溝４１ａの位置に至った時点で、円錐筒体６１の一端６ａが自らの復元力によって拡径して第２環状溝５２内に入り込む。これにより、電池カバー５の抜けが防止される。
【００４５】
以上説明したように、本発明によれば、弾性および導電性を有する円錐筒体６１からなる導通部材６によって、電池カバー５に良好な電磁波シールド性を付与することができるとともに、電池交換時等における電池カバー５の脱落を防止することができる。
【符号の説明】
【００４６】
１  コンデンサマイクロホン
２  マイク筐体
２１  連結筒
３  電池ホルダ
４  出力コネクタ
４１  コネクタスリーブ
４１ａ  第１環状溝
５  電池カバー
５２  第２環状溝
６  導通部材
６１  円錐筒体
６２  すり割り溝
【図１】
2011023857.tif 000003
【図２】
2011023857.tif 000004
【図３】
2011023857.tif 000005